(57)【要約】【課題】簡単な構成で、表示部取付け具や表示部に結露するのを防止し、シール材や断熱材を省略することができる空気調和機を提供する。【解決手段】外装の前部を形成する前面枠５と、下方に熱交換機１で熱交換された空気を吹き出す吹き出し口２ａを備えた吹き出しグリル２と、運転情報を表示する表示部４と、吹き出しグリル２の吹き出し口２ａの上方に設けられると共に表示部４を取り付けた表示部取付け具３とを備え、表示部取付け具３と吹き出し口２ａとの間に位置すると共に少なくとも表示部取付け具３の略全幅に渡って後方に突出した突壁７を前面枠５の裏面に形成したもので、吹き出し口２ａからの冷輻射が直接表示部取付け具３に及ばないので、表示部取付け具３や表示部４に結露が生じる事がなく、シール材、断熱材も不用になる。【選択図】図３ 
2005249326.tif 000002
【特許請求の範囲】
【請求項１】
外装の前部を形成する前面枠と、熱交換器と、下方に前記熱交換機で熱交換された空気を吹き出す吹き出し口を備えた吹き出しグリルと、運転情報を表示する表示部と、前記吹き出しグリルの前記吹き出し口の上方に設けられると共に前記表示部を取り付けた表示部取付け具とを備え、前記表示部取付け具と前記吹き出し口との間に位置すると共に少なくとも前記表示部取付け具の略全幅に渡って後方に突出した突壁を前記前面枠の裏面に形成した空気調和機。
【請求項２】
表示部取付け具の両側を囲むように後方に突出した第二の突壁を前面枠の裏面に形成した請求項１記載の空気調和機。
【請求項３】
突壁の後方先端を吹き出しグリルに当接又は近接させた請求項１又は２記載の空気調和機。
【発明の詳細な説明】
【技術分野】
【０００１】
本発明は、空気調和機に関するもので、特に吹き出しグリルの前面に表示部を設けた空気調和機に関するものである。
【背景技術】
【０００２】
従来の、空気調和機の運転情報を表示する表示部を備えた空気調和機では、その表示部を吹き出しグリル前方に取り付けるようにしていた。しかし表示部やそれを取り付けた表示部取付け具が吹き出しグリルの前方側に設けてあるため、吹き出しグリルからの、冷輻射または空気の流れにより、表示部取付け具、及び表示部に結露を起こす問題があり、近年では図９に示すように前面枠の内側及び表示部の周囲に、空気の流通を防ぐシール材１０を多用している。又表示部の下側に位置する吹き出しグリルの一部に、冷輻射を防ぐ断熱材１１が設けられていた（例えば、特許文献１参照）。
【特許文献１】特開平１１−３７４９９号公報
【発明の開示】
【発明が解決しようとする課題】
【０００３】
しかしながら、上記従来の空気調和機の構成では、本来空気調和機の機能に関係のない、シール材、断熱材が多用されているため、組み立て工数、材料費が増加し、尚且つシール材の貼り付け、断熱材の貼り付けが、人間の手作業に頼らざるを得なく、又貼り付けの位置が不安定であるという課題を有していた。
【０００４】
本発明はこのような従来の課題を解決するものであり、材料費が安価で、組み立て工数が少なく、且つ表示部への冷輻射の影響を無くし、又空気の流れを遮断するシール性を安定して有する空気調和機を提供することを目的とする。
【課題を解決するための手段】
【０００５】
上記従来の課題を解決するために、本発明の空気調和機は、外装の前部を形成する前面枠と、熱交換器と、下方に前記熱交換機で熱交換された空気を吹き出す吹き出し口を備えた吹き出しグリルと、運転情報を表示する表示部と、前記吹き出しグリルの前記吹き出し口の上方に設けられると共に前記表示部を取り付けた表示部取付け具とを備え、前記表示部取付け具と前記吹き出し口との間に位置すると共に少なくとも前記表示部取付け具の略全幅に渡って後方に突出した突壁を前記前面枠の裏面に形成したもので、吹き出し口からの冷輻射が前記突壁で遮られ直接表示部取付け具に及ぶ事がないので、表示部取付け具の全幅に渡って並びにそれに取り付けられた表示部に結露が生じる事がなく、それによりシール材や断熱材も不要になるものである。
【発明の効果】
【０００６】
本発明の空気調和機は、簡単な構成で、表示部取付け具や表示部に結露するのを防止し、シール材や断熱材を省略できるので、組み立て工数、材料が削減され、安価になると共に材料削減で環境に与える負荷も減らすことができる。
【発明を実施するための最良の形態】
【０００７】
第１の発明は、外装の前部を形成する前面枠と、熱交換器と、下方に前記熱交換機で熱交換された空気を吹き出す吹き出し口を備えた吹き出しグリルと、運転情報を表示する表示部と、前記吹き出しグリルの前記吹き出し口の上方に設けられると共に前記表示部を取り付けた表示部取付け具とを備え、前記表示部取付け具と前記吹き出し口との間に位置すると共に少なくとも前記表示部取付け具の略全幅に渡って後方に突出した突壁を前記前面
枠の裏面に形成したもので、吹き出し口からの冷輻射が前記突壁で遮られ直接表示部取付け具に及ぶ事がないので、表示部取付け具の全幅に渡って並びにそれに取り付けられた表示部に結露が生じる事がなく、それによりシール材や断熱材も不要になるものである。
【０００８】
第２の発明は、特に、第１の発明の表示部取付け具の両側を囲むように後方に突出した第二の突壁を前面枠の裏面に形成したもので、前記第二の突壁により表示部取付け具やそれに取り付けられた表示部近傍に冷たい空気が流入するのが防止できるので、結露発生を防止し、コスト高のシール材を廃止することができる。
【０００９】
第３の発明は、特に、第１又は第２の発明の突壁の後方先端を吹き出しグリルに当接又は近接させたもので、前記突壁により、吹き出し口と表示部取付け具の部分とが遮断され、吹き出し口からの冷輻射が表示部取付け具に及ばないのは勿論、同吹き出し口周囲の冷たい空気も表示部取付け具の部分に流入する事が無いので、同表示部取付け具、表示部での結露を確実に防止することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機の正面図で、図２は、同空気調和機の断面図で、図３は、同空気調和機の要部断面図である。
【００１２】
図において、空気調和機９は、熱交換器１と、下方に吹き出し口２ａを有する吹き出しグリル２と、吹き出しグリル２の前方でかつ吹き出し口２ａの上方に配置された表示部取付け具３と、外装の前部を形成する前面枠５と、同じく外装を構成する吸入パネル６を備えている。表示部取付け具３には、プリント基板などから形成され空気調和機本体の電源の入り・切り状態などの運転情報を表示する表示部４が取り付けられている。
【００１３】
７は、表示部取付け具３と吹き出し口２ａとの間に位置し、表示部取付け具３のほぼ全幅に渡って設けられると共に後方に突出した突壁で、前面枠５の裏面に一体的に形成されている。
【００１４】
以上の構成により、主に冷房運転時に熱交換器１によって除湿された除湿水または、熱交換器１からの冷輻射により、冷やされた吹き出し口２ａからの冷輻射が、前面枠５に具備した突起７により遮断され、表示部取付け具３、及び表示部４に結露することを防ぐことができ、それにより、従来のコスト高のシール材や、断熱材が不要となり、勿論それらを取り付けるための作業工程も不要になる。
【００１５】
（実施の形態２）
図４は、本発明の第２の実施の形態における空気調和機の正面図、図５は、同空気調和機の断面図、図６は、要部拡大断面図である。なお、上記第１の実施の形態と同一部分については同一符号を付してその説明を省略する。
【００１６】
図に示すように、本実施の形態は、突壁７の左右それぞれの端部を囲むように縦方向に且つ後方に突出する第二の突壁を設けたものである。
【００１７】
以上の構成により、主に冷房運転時に熱交換器１により除湿された除湿水、または熱交換器１の冷輻射により冷やされた吹き出し口２ａによって、表示部取付け具３、及び表示部４の周囲の冷やされた空気が、表示部取付け具３の側部を回って表示部取付け具３の内部、及び表示部４の近傍に流れるのが遮断され、表示部取付け具３の内部、及び表示部４
に結露するのを防止する事ができる。
【００１８】
（実施の形態３）
図７は、本発明の第３の実施の形態における空気調和機の要部断面図である。なお、上記実施の形態と同一部分については同一符号を付してその説明を省略する。
【００１９】
本実施の形態は、突壁７の後方先端を吹き出しグリル２に当接させたもので、これにより、吹き出し口２ａと表示部取付け具３の部分とが完全に遮断され、吹き出し口２ａからの冷輻射が表示部取付け具３に及ばないのは勿論、同吹き出し口２ａ周囲の冷たい空気も表示部取付け具３の部分に流入する事が無いので、表示部取付け具３、表示部４での結露を確実に防止することができる。
【００２０】
なお、上記実施の形態では、突壁７の後方先端を吹き出しグリル２に当接させたが、両部品の製造上のばらつき等を考慮して、突壁７の後方先端と吹き出しグリル２との間に隙間を設けても、吹き出し口２ａと表示部取付け具３の部分とを遮断する効果はさほど変わらない。同じく製造上のばらつきや、前面枠５の取り付け性を考慮して、図８に示すように、吹き出しグリル２側に突壁７の先端部７ａを余裕を持って受ける溝部２ｂを形成すれば、突壁７の先端部７ａと溝部２ｂとの間でラビリンス効果により、冷たい空気の遮断性をより向上させることもできる。
【産業上の利用可能性】
【００２１】
以上のように、本発明にかかる空気調和機は、簡単な構成で、表示部取付け具や表示部に結露するのを防止し、シール材や断熱材を省略できると共に、組み立て工数、材料が削減され、安価に構成できるので、冷輻射や冷い空気の影響を受けやすい部位を有する各種空調機器、冷房機器、冷凍機器などに広く適用できる。
【図面の簡単な説明】
【００２２】
【図１】本発明の実施の形態１における空気調和機の正面図
【図２】同空気調和機の断面図
【図３】同空気調和機の要部断面図
【図４】本発明の実施の形態２における空気調和機の正面図
【図５】同空気調和機の断面図
【図６】同空気調和機の要部断面図
【図７】本発明の実施の形態３における空気調和機の要部断面図
【図８】他の例を示す空気調和機の要部断面図
【図９】従来例を示す空気調和機の断面図
【符号の説明】
【００２３】
１  熱交換器
２  吹き出しグリル
２ａ  吹き出し口
３  表示部取付け具
４  表示部
５  前面枠
６  吸入グリル
７  突壁
８  第二の突壁
【図１】
2005249326.tif 000003
【図２】
2005249326.tif 000004
【図３】
2005249326.tif 000005
【図４】
2005249326.tif 000006
【図５】
2005249326.tif 000007
【図６】
2005249326.tif 000008
【図７】
2005249326.tif 000009
【図８】
2005249326.tif 000010
【図９】
2005249326.tif 000011